(57)【要約】【課題】ホスト装置を通じてジョブ要求を送信したユーザーが、無駄なく速やかにプリントジョブの終了を認識できこと。【解決手段】識別情報設定部５ｆは、通信装置４がホスト装置８のいずれかからジョブ要求Ｊ１を受信したときに、プリントジョブを識別するジョブ識別情報を自動設定し、前記通信装置４を通じて前記ホスト装置８へ前記ジョブ識別情報を返信する（Ｓ１０５）。プリント制御部５０は、プリント装置１に前記プリントジョブを実行させる。音響制御部５ｅは、前記プリントジョブの終了に対応する予め定められた通知タイミングに、終了する前記プリントジョブに対応する前記ジョブ識別情報を表すメッセージ音声を含む終了通知音響を音響装置３ｃに出力させる（Ｓ１１３，Ｓ１１４）。【選択図】図２
2020069715.tif 000002
【特許請求の範囲】
【請求項１】
シートに画像を形成するプリントジョブを実行するプリント装置と、
複数のホスト装置と通信可能な通信装置と、
音響を出力する音響装置と、
前記通信装置が前記ホスト装置のいずれかから前記プリントジョブの実行の要求指令であるジョブ要求を受信したときに、前記プリントジョブを識別するジョブ識別情報を自動設定し、前記通信装置を通じて前記ホスト装置へ前記ジョブ識別情報を返信する識別情報設定部と、
前記プリント装置に前記プリントジョブを実行させるプリント制御部と、
前記プリントジョブの終了に対応する予め定められた通知タイミングに、終了する前記プリントジョブに対応する前記ジョブ識別情報を表すメッセージ音声を含む終了通知音響を前記音響装置に出力させる音響制御部と、を備える画像形成装置。
【請求項２】
前記通信装置が、先に受信した前記ジョブ要求に対応する前記通知タイミングの前に、先の前記ジョブ要求と同じユーザー識別情報を伴う次の前記ジョブ要求を受信する場合に、前記音響制御部は、同じ前記ユーザー情報に対応する複数の前記プリントジョブのうちの最後の前記プリントジョブの終了に対応する前記通知タイミングに、それら複数の前記プリントジョブを代表する前記メッセージ音声を含む前記終了通知音響を前記音響装置に出力させる、請求項１に記載の画像形成装置。
【請求項３】
前記通信装置が前記ホスト装置のいずれかから前記ジョブ要求に伴うユーザー識別情報を受信する場合に、前記ユーザー識別情報に対応付けられた音楽データを、複数の前記音楽データを予め記憶する記憶装置から取得する音楽データ取得部をさらに備え、
前記音響制御部は、取得された前記音楽データに基づく音楽を含む前記終了通知音響を前記音響装置に出力させる、請求項１または請求項２に記載の画像形成装置。
【請求項４】
前記通信装置が前記ホスト装置のいずれかから前記ジョブ要求に伴うユーザー識別情報を受信する場合に、前記ユーザー識別情報に対応付けられたユーザー名の情報を、複数の前記ユーザー名の情報を予め記憶する記憶装置から取得するユーザー名取得部をさらに備え、
前記音響制御部は、取得された前記ユーザー名の情報を表す音声を含む前記終了通知音響を前記音響装置に出力させる、請求項１から請求項３のいずれか１項に記載の画像形成装置。
【請求項５】
前記通知タイミングが、前記プリントジョブにおける最終ページのプリントが終了する時点を基準にして予め定められるタイミング、または、前記プリントジョブにおける最終ページのプリントが開始される時点を基準にして予め定められるタイミングである、請求項１から請求項４のいずれか１項に記載の画像形成装置。
【請求項６】
画像形成後の前記シートを受ける１つ以上の排出トレイと、
前記排出トレイ上の前記シートを検出するシート検出センサーと、をさらに備え、
前記音響制御部は、前記通知タイミングにおいて、前記シートの排出先の前記排出トレイにおける前記シート検出センサーにより前記シートが検出されている場合には前記終了通知音響を前記音響装置に出力させ、その他の場合には前記終了通知音響を前記音響装置に出力させない、請求項１から請求項５のいずれか１項に記載の画像形成装置。
【請求項７】
予め登録された複数のユーザー情報のいずれかに対応する登録ユーザーが装置の前に存在するか否かを判別するユーザー判別装置をさらに備え、
前記通信装置が前記ホスト装置のいずれかから前記ジョブ要求に伴うユーザー識別情報を受信し、前記通知タイミングに、終了する前記プリントジョブとともに受信された前記ユーザー識別情報に対応する前記登録ユーザーが装置の前に存在すると前記ユーザー判別装置によって判別される場合には、前記音響制御部は前記終了通知音響を前記音響装置に出力させず、その他の場合には、前記音響制御部は前記終了通知音響を前記音響装置に出力させる、請求項１から請求項６のいずれか１項に記載の画像形成装置。
【発明の詳細な説明】
【技術分野】
【０００１】
本発明は、プリントジョブの終了を通知する画像形成装置に関する。
【背景技術】
【０００２】
画像形成装置は、ホスト装置からジョブ要求を受信したときに、前記ジョブ要求に対応するプリントジョブを実行する。
【０００３】
また、前記画像形成装置が、予めユーザーによって設定された音声メッセージを、前記プリントジョブの終了前後の予め設定されたタイミングで出力することが知られている（例えば、特許文献１参照）。
【０００４】
前記画像形成装置が、前記プリントジョブの終了を音響で通知することにより、ユーザーは、前記ホスト装置または前記画像形成装置を監視し続ける、または、自席と前記画像形成装置との間を複数回往復する、などの無駄な手間を要することなく、自分の印刷物を速やかに取得することができる。
【０００５】
また、前記ジョブ要求に応じて異なる音響が出力されることにより、あるユーザーが、他のユーザーにより要求された前記プリントジョブの終了を通知する音響を自身の要求した前記プリントジョブの終了の通知であると聞き誤ることが防止される。
【先行技術文献】
【特許文献】
【０００６】
【特許文献１】特開２００２−１４７８９号公報
【発明の概要】
【発明が解決しようとする課題】
【０００７】
ところで、ユーザーが前記ジョブ要求ごとに前記プリントジョブの終了の通知用の前記音声メッセージを設定することは、前記ユーザーにとって手間である。
【０００８】
また、１人の前記ユーザーによる複数の前記ジョブ要求が、短時間のうちに前記ホスト装置から送信される場合がある。この場合、前記ユーザーが、最初の前記プリントジョブに対応する通知に応じて前記画像形成装置の位置へ移動するおそれがある。その結果、前記ユーザーが、前記画像形成装置の前で残りの前記プリントジョブの終了まで待つ、または、自席と前記画像形成装置との間を複数回往復するなどの無駄が生じやすい。
【０００９】
さらに、複数の前記ユーザーが同じ音響を設定し、混同が生じるおそれもある。
【００１０】
本発明の目的は、ホスト装置を通じてジョブ要求を送信したユーザーが、無駄なく速やかにプリントジョブの終了を認識することができ、ひいては自身の印刷物を速やかに取得することができる画像形成装置を提供することにある。
【課題を解決するための手段】
【００１１】
本発明の一の局面に係る画像形成装置は、プリント装置と、通信装置と、音響装置と、識別情報設定部と、プリント制御部と、音響制御部と、を備える。前記プリント装置は、シートに画像を形成するプリントジョブを実行する。前記通信装置は、複数のホスト装置と通信可能である。前記音響装置は、音響を出力する。前記識別情報設定部は、前記通信装置が前記ホスト装置のいずれかから前記プリントジョブの実行の要求指令であるジョブ要求を受信したときに、前記プリントジョブを識別するジョブ識別情報を自動設定し、前記通信装置を通じて前記ホスト装置へ前記ジョブ識別情報を返信する。前記プリント制御部は、前記プリント装置に前記プリントジョブを実行させる。前記音響制御部は、前記プリントジョブの終了に対応する予め定められた通知タイミングに、終了する前記プリントジョブに対応する前記ジョブ識別情報を表すメッセージ音声を含む終了通知音響を前記音響装置に出力させる。
【発明の効果】
【００１２】
本発明によれば、ホスト装置を通じてジョブ要求を送信したユーザーが、無駄なく速やかにプリントジョブの終了を認識することができ、ひいては自身の印刷物を速やかに取得することができる画像形成装置を提供することが可能になる。
【図面の簡単な説明】
【００１３】
【図１】図１は、本発明の第１実施形態に係る画像形成装置の構成を表すブロック図である。
【図２】図２は、本発明の第１実施形態に係る画像形成装置における受信プリント処理の手順の一例を示すフローチャートである。
【図３】図３は、本発明の第１実施形態に係る画像形成装置が出力する終了通知音響の一例の内容を示す図であり、図３（Ａ）は、第１通知タイミングが採用される場合における通常終了通知音響の内容を示す図であり、図３（Ｂ）は、第２通知タイミングが採用される場合における通常終了通知音響の内容を示す図であり、図３（Ｃ）は、第１通知タイミングが採用される場合における代表終了通知音響の内容を示す図である。
【図４】図４は、本発明の第２実施形態に係る画像形成装置の構成を表すブロック図である。
【発明を実施するための形態】
【００１４】
以下、図面を参照しながら、本発明の実施形態について説明する。なお、以下の実施形態は、本発明を具体化した一例であって、本発明の技術的範囲を限定するものではない。
【００１５】
［画像形成装置１０の構成］
本発明の実施形態に係る画像形成装置１０は、シート９１に画像を形成するプリントジョブを実行するプリント装置１を備える。
【００１６】
図１に示される例では、画像形成装置１０は、画像読取装置２も備える。例えば、画像形成装置１０は、複写機または複写機能およびファクシミリ通信装置能を有する複合機などである。
【００１７】
画像形成装置１０は、インターネットまたはＷＡＮ（Wide Area Network）などのネットワーク８０を通じて、複数のホスト装置８と通信可能である。ホスト装置８は、画像形成装置１０と通信可能なコンピューターである。
【００１８】
図１に示されるように、画像形成装置１０は、プリント装置１，画像読取装置２、ユーザーインターフェイス装置３、通信装置４、制御装置５および１つ以上の排出トレイ１ｘなどを備える。さらに、画像形成装置１０は、カメラ６も備える。
【００１９】
また、制御装置５は、プリントエンジン５０、ＣＰＵ５１、ＲＡＭ（Random Access Memory）５２および二次記憶装置５３などを含む。
【００２０】
ユーザーインターフェイス装置３は、操作装置３ａ、表示装置３ｂおよび音響装置３ｃなどを含む。操作装置３ａは、ユーザーの操作を受け付ける装置であり、例えば操作ボタンおよびタッチパネルなどを含む。表示装置３ｂは、情報を表示可能な液晶パネルなどの表示パネルを含む。
【００２１】
音響装置３ｃは、音声または音楽などの音響を出力する装置である。音響装置３ｃは、不図示のアンプおよびスピーカーを備える。
【００２２】
通信装置４は、ネットワーク８０を通じて複数のホスト装置８との間で通信を行う通信インターフェイスデバイスである。制御装置５は、ホスト装置８との間のデータの送信および受信の全てを、通信装置４を通じて行う。
【００２３】
画像読取装置２は、原稿９２から画像を読み取る画像読取処理を実行する。以下の説明において、画像読取装置２の前記画像読取処理によって原稿９２から読み取られた画像のことを読取画像と称する。
【００２４】
プリント装置１は、電子写真方式またはインクジェット方式などの予め定められた方式で前記プリントジョブを実行する。排出トレイ１ｘは、画像形成後のシート９１である印刷物を受けるトレイである。
【００２５】
本実施形態において、プリント装置１は、前記読取画像のデータまたは通信装置４を通じてホスト装置８から受信されるジョブ要求Ｊ１に基づいて前記プリントジョブを実行可能である。ジョブ要求Ｊ１は、前記プリントジョブの実行の要求指令である。
【００２６】
例えば、プリント装置１が電子写真方式で前記プリントジョブを実行する装置である場合、プリント装置１は、シート搬送機構１ａ、感光体１ｂ、帯電装置１ｃ、レーザースキャニングユニット１ｄ、現像装置１ｅ、転写装置１ｆおよび定着装置１ｇなどを備える。
【００２７】
シート搬送機構１ａは、予め定められた経路に沿ってシート９１を搬送する。帯電装置１ｃは、感光体１ｂの表面を帯電させる。レーザースキャニングユニット１ｄは、帯電した感光体１ｂの表面に静電潜像を書き込む。
【００２８】
現像装置１ｅは、感光体１ｂ上の前記静電潜像をトナー像へ現像する。転写装置１ｆは、感光体１ｂ上の前記トナー像をシート９１に転写する。定着装置１ｇは、シート９１上の前記トナー像を加熱することにより、前記トナー像をシート９１に定着させる。
【００２９】
カメラ６は、画像形成装置１０の前に存在する人を撮影し、撮影画像のデータをＣＰＵ５１へ出力する。前記撮影画像のデータは、顔認識処理に用いられる。
【００３０】
制御装置５は、各種の演算、データ処理および画像形成装置１０が備える各種の電気機器の制御を実行する。制御装置５は、プリント装置１、画像読取装置２、ユーザーインターフェイス装置３、通信装置４およびカメラ６との間でデータおよび制御信号の受け渡しが可能である。
【００３１】
プリントエンジン５０は、ＣＰＵ５１からの指令に従ってプリント装置１を制御することにより、プリント装置１に前記プリントジョブを実行させる。なお、プリントエンジン５０は、プリント制御部の一例である。
【００３２】
プリントエンジン５０は、不図示のＭＰＵ（Micro Processing Unit）もしくはＤＳＰ（Digital Signal Processor）などのプロセッサー、またはＡＳＩＣ（Application Specific Integrated Circuit）などの回路によって実現される。
【００３３】
二次記憶装置５３は、コンピューター読み取り可能な不揮発性の記憶装置である。二次記憶装置５３は、プログラムおよび各種のデータを記憶可能である。例えば、ハードディスクドライブおよびＳＳＤ（Solid State Drive）の一方または両方の組合せが、二次記憶装置５３として採用される。
【００３４】
二次記憶装置５３は、複数のユーザー情報Ｄ０を予め記憶している。複数のユーザー情報Ｄ０は、複数の登録ユーザーに対応する情報である。前記複数の登録ユーザーは、予め登録された複数のユーザーである。
【００３５】
ユーザー情報Ｄ０各々は、登録ユーザーＩＤ（Ｄ１）、ユーザー名Ｄ２、登録顔情報Ｄ３、登録ホスト名Ｄ４および登録音楽データＤ５などを含む。
【００３６】
登録ユーザーＩＤ（Ｄ１）は、前記登録ユーザーの識別情報である。ユーザー名Ｄ２は、前記登録ユーザーの名前である。登録顔情報Ｄ３は、前記登録ユーザーの顔の特徴を表す情報である。
【００３７】
顔の特徴を表す情報は、例えば、目、鼻、口、顎および耳の相対的な位置および相対的な大きさなどの情報を含む。
【００３８】
登録ホスト名Ｄ４は、ホスト装置８を識別する名称である。本実施形態では、登録ユーザーＩＤ（Ｄ１）と登録ホスト名Ｄ４とが１対１で対応づけられている。従って、登録ホスト名Ｄ４も、前記登録ユーザーの識別情報の一例である。
【００３９】
登録音楽データＤ５は、前記登録ユーザーにより予め選択される音楽のデータである。後述するように、登録音楽データＤ５は、前記プリントジョブの終了の通知に用いられる。
【００４０】
ＣＰＵ５１は、二次記憶装置５３に記憶されたプログラムを実行することにより、各種のデータ処理および制御を実行するプロセッサーである。なお、ＤＳＰなどの他のプロセッサーが、ＣＰＵ５１の代わりに前記データ処理および制御を実行することも考えられる。
【００４１】
ＲＡＭ５２は、コンピューター読み取り可能な揮発性の記憶装置である。ＲＡＭ５２は、ＣＰＵ５１が実行する前記プログラムおよびＣＰＵ５１が前記プログラムを実行する過程で出力および参照するデータを一次記憶する。
【００４２】
ＣＰＵ５１は、前記プログラムを実行することにより、主制御部５ａ、表示制御部５ｂ、プリントデータ処理部５ｃ、ユーザー識別部５ｄおよび音響制御部５ｅなどとして動作する。
【００４３】
主制御部５ａは、主として操作装置３ａに対する操作および通信装置４によるデータ受信を監視し、操作またはデータ受信を検出したときに、検出内容に応じた処理の開始を制御する。
【００４４】
表示制御部５ｂは、表示装置３ｂを制御し、表示装置３ｂに各種の通知画面または操作画面を表示させる。
【００４５】
プリントデータ処理部５ｃは、ジョブ要求Ｊ１において指定される前記プリントジョブの対象データ、または、前記読取画像のデータをプリントデータへ変換するデータ変換処理を実行する。
【００４６】
前記プリントジョブの前記対象データは、ホスト装置８から通信装置４を通じて受信する受信画像データ、または、予め二次記憶装置５３に記憶された保存画像データである。
【００４７】
プリントエンジン５０は、前記プリントデータに基づく前記プリントジョブをプリント装置１に実行させる。
【００４８】
ユーザー識別部５ｄは、カメラ６による前記撮影画像に基づく顔認識処理を実行する。前記顔認識処理において、ユーザー識別部５ｄは、カメラ６による前記撮影画像から顔画像を抽出するとともに、前記顔画像の特徴を表す対象顔情報を特定する。
【００４９】
さらに、前記顔認識処理において、ユーザー識別部５ｄは、前記対象顔情報が、予め二次記憶装置５３に記憶されている複数の前記登録ユーザーに対応する複数の登録顔情報Ｄ３のいずれかに該当するか否かを判定する。
【００５０】
ユーザー識別部５ｄが、前記対象顔情報が複数の登録顔情報Ｄ３のいずれかに該当すると判定することは、ユーザー識別部５ｄが、画像形成装置１０の前の前記登録ユーザーを検出することを意味する。
【００５１】
なお、カメラ６およびユーザー識別部５ｄとして動作するＣＰＵ５１は、予め登録された複数のユーザー情報Ｄ０のいずれかに対応する前記登録ユーザーが装置の前に存在するか否かを判別するユーザー判別装置の一例である。
【００５２】
主制御部５ａは、ユーザー識別部５ｄが画像形成装置１０の前の前記登録ユーザーを検出する場合にのみ、操作装置３ａに対す操作に応じた各種のジョブの実行を許容する。
【００５３】
さらに、主制御部５ａは、ジョブ要求Ｊ１が受信される場合に、ジョブ要求Ｊ１とともにホスト装置８から受信される要求ホスト名Ｊ２が複数のユーザー情報Ｄ０における登録ホスト名Ｄ４のいずれかに該当する場合にのみ、ジョブ要求Ｊ１に応じた前記プリントジョブの実行を許容する。
【００５４】
音響制御部５ｅは、ジョブ要求Ｊ１に応じた前記プリントジョブの終了を通知する音響を音響装置３ｃに出力させる。
【００５５】
音響制御部５ｅが、ジョブ要求Ｊ１に応じた前記プリントジョブの終了を音響で通知することにより、ユーザーは、ホスト装置８または画像形成装置１０を監視し続ける、または、自席と画像形成装置１０との間を複数回往復する、などの無駄な手間を要することなく、自分の印刷物を速やかに取得することができる。
【００５６】
また、ジョブ要求Ｊ１に応じて異なる音響が出力されることにより、あるユーザーが、他のユーザーにより要求された前記プリントジョブの終了を通知する音響を自身の要求した前記プリントジョブの終了の通知であると聞き誤ることが防止される。
【００５７】
ところで、前記ユーザーがジョブ要求Ｊ１ごとに前記プリントジョブの終了の通知用の音声メッセージを設定することは、前記ユーザーにとって手間である。
【００５８】
また、１人の前記ユーザーによる複数のジョブ要求Ｊ１が短時間のうちにホスト装置８から送信される場合がある。この場合、前記ユーザーが、最初の前記プリントジョブに対応する通知に応じて画像形成装置１０の位置へ移動するおそれがある。その結果、前記ユーザーが、画像形成装置１０の前で残りの前記プリントジョブの終了まで待つ、または、自席と画像形成装置１０との間を複数回往復するなどの無駄が生じやすい。
【００５９】
さらに、複数の前記ユーザーが同じ音響を設定し、混同が生じるおそれもある。
【００６０】
画像形成装置１０は、後述する受信プリント処理を実行する。これにより、ホスト装置８を通じてジョブ要求Ｊ１を送信した前記ユーザーは、無駄なく速やかに前記プリントジョブの終了を認識することができ、ひいては自身の印刷物を速やかに取得することができる。
【００６１】
ＣＰＵ５１は、予め二次記憶装置５３に記憶されたプログラムを実行することにより、識別情報設定部５ｆ、ユーザー情報取得部５ｇおよび通知タイミング判定部５ｈとしても動作する。
【００６２】
後述するように、識別情報設定部５ｆは、前記プリントジョブを識別するジョブＩＤを設定する。前記ジョブＩＤは、ジョブ識別情報の一例である。
【００６３】
また、ユーザー情報取得部５ｇは、二次記憶装置５３から、ジョブ要求Ｊ１に伴って受信される要求ホスト名Ｊ２に対応するデータを取得する。
【００６４】
通知タイミング判定部５ｈは、前記プリントジョブの終了を、音響装置３ｃを通じて通知するタイミングを判定する処理を実行する。
【００６５】
［受信プリント処理］
以下、図２に示されるフローチャートを参照しつつ、ＣＰＵ５１により実行される前記受信プリント処理の手順の一例について説明する。
【００６６】
前記受信プリント処理は、ホスト装置８からのジョブ要求Ｊ１の受信に応じて前記プリントジョブをプリント装置１に実行させる処理である。以下の説明において、Ｓ１０１，Ｓ１０２，…は、前記受信プリント処理における複数の工程の識別符号を表す。
【００６７】
＜工程Ｓ１０１＞
前記受信プリント処理において、主制御部５ａが、通信装置４によってジョブ要求Ｊ１が受信さたか否かを確認する（Ｓ１０１）。
【００６８】
そして、主制御部５ａは、ホスト装置８からジョブ要求Ｊ１が受信されたときに処理を工程Ｓ１０２へ移行させ、そうでない場合に処理を工程Ｓ１０６へ移行させる。
【００６９】
＜工程Ｓ１０２＞
工程Ｓ１０２において、主制御部５ａは、ジョブ要求Ｊ１が前記登録ユーザーからの要求であるか否かを判定する。
【００７０】
具体的には、主制御部５ａは、ホスト装置８からジョブ要求Ｊ１に伴って受信される要求ホスト名Ｊ２が、複数のユーザー情報Ｄ０における登録ホスト名Ｄ４のいずれかに該当する場合に、ジョブ要求Ｊ１が前記登録ユーザーからの要求であると判定する。
【００７１】
工程Ｓ１０２において、ユーザー情報取得部５ｇが、複数のユーザー情報Ｄ０から要求ホスト名Ｊ２に該当する登録ホスト名Ｄ４を含むユーザー情報Ｄ０を検索する処理を実行する。
【００７２】
主制御部５ａは、ジョブ要求Ｊ１が前記登録ユーザーからの要求であると判定する場合、処理を工程Ｓ１０４へ移行させ、そうでない場合、処理を工程Ｓ１０３へ移行させる。
【００７３】
＜工程Ｓ１０３＞
工程Ｓ１０３において、主制御部５ａは、予め定められたエラー通知をジョブ要求Ｊ１の送信元へ返信する。その後、主制御部５ａは、処理を工程Ｓ１０１へ移行させる。
【００７４】
＜工程Ｓ１０４＞
工程Ｓ１０４において、主制御部５ａは、ジョブ要求Ｊ１をプリントキューとして設定する。これにより、プリントエンジン５０が、ジョブ要求Ｊ１に応じた前記プリントジョブを、ジョブ要求Ｊ１の受信順序に従ってプリント装置１に実行させる。その後、主制御部５ａは処理を工程Ｓ１０５へ移行させる。
【００７５】
即ち、処理中または処理待ちの前記プリントジョブが存在しない場合には、工程Ｓ１０１で受信されたジョブ要求Ｊ１が先頭の前記プリントキューとして設定される。これにより、プリントエンジン５０は、速やかに先頭の前記プリントキューに対応する前記プリントジョブをプリント装置１に実行させる。
【００７６】
一方、処理中または処理待ちの前記プリントジョブが存在する場合には、工程Ｓ１０１で受信されたジョブ要求Ｊ１が処理待ちの前記プリントキューとして設定される。この場合、プリントエンジン５０は、ジョブ要求Ｊ１の受信順序に従って、処理待ちの前記プリントキューに対応する前記プリントジョブをプリント装置１に順次実行させる。
【００７７】
＜工程Ｓ１０５＞
工程Ｓ１０５において、識別情報設定部５ｆが、工程Ｓ１０１で受信されたジョブ要求Ｊ１に対応する前記プリントジョブを識別するジョブＩＤを自動設定する。
【００７８】
さらに、工程Ｓ１０５において、識別情報設定部５ｆは、設定した前記ジョブＩＤを、ジョブ要求Ｊ１の送信元であるホスト装置８へ返信する。その後、識別情報設定部５ｆは、処理を工程Ｓ１０６へ移行させる。
【００７９】
ホスト装置８は、画像形成装置１０から受信した前記ジョブＩＤを表示部に表示させることにより、ホスト装置８を操作したユーザーに前記ジョブＩＤを通知する。
【００８０】
本実施形態において、識別情報設定部５ｆは、１字以上の文字と数字との組合せを前記ジョブＩＤとして設定する。ここで、識別情報設定部５ｆは、予め定められた単位期間内において一意の前記ジョブＩＤを設定する。例えば、前記単位期間が１日または半日であることが考えられる。
【００８１】
例えば、識別情報設定部５ｆは、予め定められた複数種類の文字候補から要求ホスト名Ｊ２ごとに一意の文字を選択し、選択した文字を、前記ジョブＩＤの一部として設定する。
【００８２】
より具体的には、前記文字候補が２６種類のアルファベットである場合に、識別情報設定部５ｆは、新たな要求ホスト名Ｊ２を伴うジョブ要求Ｊ１が受信されるごとに、予め定められた順番で選択される１つのアルファベットを、前記ジョブＩＤの一部として設定する。
【００８３】
さらに、識別情報設定部５ｆは、同一の要求ホスト名Ｊ２を伴うジョブ要求Ｊ１が受信されるごとにカウントアップされる数字を、前記ジョブＩＤの残りの一部として設定する。  
【００８４】
上記のような前記ジョブＩＤの自動設定処理により、“Ａ１”、“Ａ２”、“Ｂ１”または“Ｂ２”のような前記ジョブＩＤが設定される。
【００８５】
＜工程Ｓ１０６＞
工程Ｓ１０６において、通知タイミング判定部５ｈが、工程Ｓ１０１で通信装置４が受信したジョブ要求Ｊ１が予め定められたグループ要件を満たすか否かを判定する。
【００８６】
前記グループ要件は、工程Ｓ１０１で通信装置４が受信したジョブ要求Ｊ１が、未だ通知タイミングが到来していない先行のジョブ要求Ｊ１と同じ要求ホスト名Ｊ２を伴う、という要件である。
【００８７】
先行のジョブ要求Ｊ１は、通信装置４が直近の工程Ｓ１０１で受信したジョブ要求Ｊ１よりも先に受信したジョブ要求Ｊ１である。前記通知タイミングについては後述する。
【００８８】
なお、直近の工程Ｓ１０１で受信されたジョブ要求Ｊ１が前記グループ要件を満たすことは、通信装置４が、先に受信したジョブ要求Ｊ１に対応する前記通知タイミングの前に、先のジョブ要求Ｊ１と同じユーザー識別情報を伴う次のジョブ要求Ｊ１を受信することを意味する。
【００８９】
そして、通知タイミング判定部５ｈは、直近の工程Ｓ１０１で受信されたジョブ要求Ｊ１が前記グループ要件を満たす場合に、処理を工程Ｓ１０７へ移行させ、そうでない場合に、処理を工程Ｓ１０８へ移行させる。
【００９０】
＜工程Ｓ１０７＞
工程Ｓ１０７において、主制御部５ａが、前記グループ要件を満たすと判定されたジョブ要求Ｊ１に対応する前記プリントジョブをグループジョブに設定する。その後、主制御部５ａは、処理を工程Ｓ１０８へ移行させる。
【００９１】
前記グループジョブに設定される複数の前記プリントジョブは、同じ要求ホスト名Ｊ２を伴う複数のジョブ要求Ｊ１に対応するジョブグループを構成する。
【００９２】
後述するように、同じ要求ホスト名Ｊ２に対応する前記ジョブグループに属する複数の前記プリントジョブの終了の通知は、最後の前記プリントジョブの終了に応じて１つにまとめられて出力される。
【００９３】
以下の説明において、前記グループジョブに設定されない他の前記プリントジョブのことを単体ジョブと称する。
【００９４】
＜工程Ｓ１０８＞
工程Ｓ１０８において、通知タイミング判定部５ｈが、前記プリントジョブの終了に対応する予め定められた前記通知タイミングが到来したか否かを判定する。
【００９５】
前記通知タイミングは、前記プリントジョブにおける最終ページのプリントが終了する時点を基準にして予め定められる第１通知タイミング、または、前記プリントジョブにおける最終ページのプリントが開始される時点を基準にして予め定められる第２通知タイミングである。
【００９６】
前記第１通知タイミングが採用される第１通知モードおよび前記第２通知タイミングが採用される第２通知モードの一方が、操作装置３ａに対する操作に従って予め選択される。
【００９７】
例えば、前記第１通知タイミングが、前記プリントジョブにおける最終ページのプリントが終了した時点、または、前記プリントジョブにおける最終ページのプリントが終了した時点から予め定められた時間が経過した時点であることが考えられる。
【００９８】
同様に、前記第２通知タイミングが、前記プリントジョブにおける最終ページのプリントが開始される時点、または、前記プリントジョブにおける最終ページのプリントが開始される時点から予め定められた時間が経過した時点であることが考えられる。
【００９９】
通知タイミング判定部５ｈは、前記単体ジョブについては、前記単体ジョブごとに前記通知タイミングが到来したか否かを判定する。一方、通知タイミング判定部５ｈは、前記グループジョブについては、対応する要求ホスト名Ｊ２が共通する複数の前記グループジョブのうち最後の前記グループジョブについてのみ前記通知タイミングが到来したか否かを判定する。
【０１００】
通知タイミング判定部５ｈは、前記通知タイミングが到来したと判定する場合に、処理を工程Ｓ１０９へ移行させ、そうでない場合に処理を工程Ｓ１０１へ移行させる。
【０１０１】
＜工程Ｓ１０９＞
工程Ｓ１０９において、ユーザー識別部５ｄが、要求ユーザーが画像形成装置１０の前に存在するか否かを判定する。
【０１０２】
前記要求ユーザーは、終了する前記プリントジョブとともに受信された要求ホスト名Ｊ２に対応する前記登録ユーザーである。なお、終了する前記プリントジョブとは、前記通知タイミングが到来した前記プリントジョブを意味する。
【０１０３】
即ち、工程Ｓ１０９において、ユーザー識別部５ｄは、前記撮影画像に基づく前記顔認識処理により、前記対象顔情報を特定する。さらに、ユーザー識別部５ｄは、前記対象顔情報が、予め二次記憶装置５３に記憶されている複数の登録顔情報Ｄ３のうち、終了する前記プリントジョブとともに受信された要求ホスト名Ｊ２に対応付けられた登録顔情報Ｄ３に該当するか否かを判定する。前記対象顔情報が、要求ホスト名Ｊ２に対応付けられた登録顔情報Ｄ３に該当すると判定する場合に、前記要求ユーザーが画像形成装置１０の前に存在すると判定する。
【０１０４】
そして、ユーザー識別部５ｄは、要求ホスト名Ｊ２に対応付けられた登録顔情報Ｄ３に該当すると判定する場合に、処理を工程Ｓ１１０へ移行させ、そうでない場合に、処理を工程Ｓ１１１へ移行させる。
【０１０５】
＜工程Ｓ１１０＞
工程Ｓ１１０において、音響制御部５ｅは、前記通知タイミングが到来した前記プリントジョブに関する音響による通知をキャンセルし、処理を工程Ｓ１０１へ移行させる。
【０１０６】
＜工程Ｓ１１１＞
工程Ｓ１１１において、ユーザー情報取得部５ｇが、前記通知タイミングが到来した前記プリントジョブに対応するユーザー情報Ｄ０のユーザー名Ｄ２および登録音楽データＤ５を二次記憶装置５３から取得する。その後、ユーザー情報取得部５ｇは、処理を工程Ｓ１１２へ移行させる。
【０１０７】
なお、ユーザー情報取得部５ｇによる工程Ｓ１１１の処理は、通信装置４がホスト装置８のいずれかからジョブ要求Ｊ１に伴う要求ホスト名Ｊ２を受信する場合に実行される。
【０１０８】
ユーザー情報取得部５ｇは、要求ホスト名Ｊ２に対応付けられた登録音楽データＤ５およびユーザー名Ｄ２を二次記憶装置５３から取得する音楽データ取得部およびユーザー名取得部の一例である。
【０１０９】
＜工程Ｓ１１２＞
工程Ｓ１１２において、音響制御部５ｅは、前記通知タイミングが到来した前記プリントジョブが、前記単体ジョブであるか前記グループジョブであるかを判別する。
【０１１０】
音響制御部５ｅは、前記通知タイミングが到来した前記プリントジョブが、前記単体ジョブであると判定する場合、処理を工程Ｓ１１３へ移行させる。一方、音響制御部５ｅは、前記通知タイミングが到来した前記プリントジョブが、前記グループジョブであると判定する場合、処理を工程Ｓ１１４へ移行させる。
【０１１１】
＜工程Ｓ１１３＞
工程Ｓ１１３において、音響制御部５ｅは、前記単体ジョブに対応する通常終了通知音響ＳＤ０１を音響装置３ｃに出力させる。その後、音響制御部５ｅは、処理を工程Ｓ１０１へ移行させる。
【０１１２】
通常終了通知音響ＳＤ０１は、前記通知タイミングが到来した前記単体ジョブに対応する前記ジョブＩＤを表すメッセージ音声である単体ジョブＩＤ音声ＳＤ１を含む（図３参照）。
【０１１３】
図３（Ａ）および図３（Ｂ）に示される例では、通常終了通知音響ＳＤ０１は、単体ジョブＩＤ音声ＳＤ１と、定型文音声ＳＤ２と、登録音楽ＳＤ３と、ユーザー名音声ＳＤ４とが組み合わされた音響である。
【０１１４】
定型文音声ＳＤ２は、採用される前記通知タイミングに応じて予め定められた定型文を表す音声である。通常終了通知音響ＳＤ０１は、前記第１通知タイミングが採用される場合と、前記第２通知タイミングが採用される場合とで、定型文音声ＳＤ２の内容が異なる。
【０１１５】
登録音楽ＳＤ３は、工程Ｓ１１１で取得された登録音楽データＤ５に基づく音楽である。登録音楽ＳＤ３の音源データである登録音楽データＤ５は、複数のユーザー情報Ｄ０において、前記通知タイミングが到来した前記単体ジョブに対応する前記要求ユーザーに相当する要求ホスト名Ｊ２に対応付けられたデータである。
【０１１６】
ユーザー名音声ＳＤ４は、工程Ｓ１１１で取得されたユーザー名Ｄ２を表す音声である。ユーザー名音声ＳＤ４が表すユーザー名Ｄ２は、複数のユーザー情報Ｄ０において、前記通知タイミングが到来した前記単体ジョブに対応する前記要求ユーザーに相当する要求ホスト名Ｊ２に対応付けられた情報である。
【０１１７】
なお、工程Ｓ１１３において、表示制御部５ｂは、音響装置３ｃが出力する音声に相当するテキストメッセージを表示装置３ｂに表示させる。
【０１１８】
＜工程Ｓ１１４＞
工程Ｓ１１４において、音響制御部５ｅは、前記グループジョブに対応する代表終了通知音響ＳＤ０２を音響装置３ｃに出力させる。その後、音響制御部５ｅは、処理を工程Ｓ１０１へ移行させる。
【０１１９】
図３（Ａ）に示されるように、代表終了通知音響ＳＤ０２は、代表ジョブＩＤ音声ＳＤ１０を含む。代表ジョブＩＤ音声ＳＤ１０は、前記通知タイミングが到来した前記グループジョブと前記要求ユーザーが共通する複数の前記グループジョブ全てに対応する複数の前記ジョブＩＤ、または、それら複数の前記ジョブＩＤの一部を表す。
【０１２０】
図３（Ａ）に示される例では、代表ジョブＩＤ音声ＳＤ１０は、前記要求ユーザーが共通する複数の前記グループジョブのうち、最初の前記グループジョブおよび最後の前記グループジョブに対応する２つの前記ジョブＩＤを表す音声である先頭ジョブＩＤ音声ＳＤ１１および最終ジョブＩＤ音声ＳＤ１２が組み合わされた音声である。
【０１２１】
図３（Ｃ）に示される例では、前記代表終了通知音響は、代表ジョブＩＤ音声ＳＤ１０と、定型文音声ＳＤ２と、登録音楽ＳＤ３と、ユーザー名音声ＳＤ４とが組み合わされた音響である。
【０１２２】
なお、工程Ｓ１１４において、表示制御部５ｂは、音響装置３ｃが出力する音声に相当するテキストメッセージを表示装置３ｂに表示させる。
【０１２３】
以上に示されるように、識別情報設定部５ｆは、通信装置４がホスト装置８のいずれかからジョブ要求Ｊ１を受信したときに、ジョブ要求Ｊ１に対応する前記プリントジョブを識別する前記ジョブＩＤを自動設定し、通信装置４を通じてホスト装置８へ前記ジョブＩＤを返信する（図２の工程Ｓ１０５）。
【０１２４】
上記により、前記要求ユーザーは、自身がホスト装置８を通じて送信したジョブ要求Ｊ１を識別する前記ジョブＩＤを、ホスト装置８で確認することができる。
【０１２５】
なお、通常、前記要求ユーザーは、ジョブ要求Ｊ１が送信された直後はホスト装置８を見ているため、ホスト装置８で表示される前記ジョブＩＤをほぼ確実に確認する。
【０１２６】
また、音響制御部５ｅは、前記プリントジョブの終了に対応する予め定められた前記通知タイミングに、単体ジョブＩＤ音声ＳＤ１を含む通常終了通知音響ＳＤ０１または代表ジョブＩＤ音声ＳＤ１０を含む代表終了通知音響ＳＤ０２を音響装置３ｃに出力させる（図２の工程Ｓ１１３または工程Ｓ１１４）。
【０１２７】
単体ジョブＩＤ音声ＳＤ１および代表ジョブＩＤ音声ＳＤ１０は、終了する前記プリントジョブに対応する前記ジョブＩＤを表すメッセージ音声の一例である。
【０１２８】
従って、画像形成装置１０が採用されれば、前記要求ユーザーは、ジョブ要求Ｊ１の送信ごとに前記プリントジョブの終了の通知用の音声メッセージを設定する手間を要しない。
【０１２９】
また、１人の前記要求ユーザーによる複数のジョブ要求Ｊ１が、短時間のうちにホスト装置８から送信される場合がある。そのような場合でも、ジョブ要求Ｊ１を識別可能な単体ジョブＩＤ音声ＳＤ１または代表ジョブＩＤ音声ＳＤ１０を含む音響通知が出力されるため、前記要求ユーザーは、前記音響通知が自身に対する通知であるか否かを容易に認識することができる。
【０１３０】
従って、前記要求ユーザーが最初の前記プリントジョブに対応する音響通知に応じて画像形成装置１０の位置へ移動してしまうことが回避される。その結果、前記要求ユーザーが、画像形成装置１０の前で残りの前記プリントジョブの終了まで待つ、または、自席と画像形成装置１０との間を複数回往復するなどの無駄が生じない。
【０１３１】
以上のことから、前記要求ユーザーは、無駄なく速やかに前記プリントジョブの終了を認識することができ、ひいては自身の前記印刷物を速やかに取得することができる。
【０１３２】
また、通信装置４が、先に受信したジョブ要求Ｊ１に対応する前記通知タイミングの前に、先のジョブ要求Ｊ１と同じ要求ホスト名Ｊ２を伴う次のジョブ要求Ｊ１を受信する場合がある。これは、ジョブ要求Ｊ１に対応する前記プリントジョブが前記グループジョブに設定される場合である（図２の工程Ｓ１０６，Ｓ１０７）。
【０１３３】
上記の場合に、音響制御部５ｅは、同じ要求ホスト名Ｊ２に対応する複数の前記プリントジョブのうちの最後の前記プリントジョブの終了に対応する前記通知タイミングに、代表終了通知音響ＳＤ０２を音響装置３ｃに出力させる（図２の工程Ｓ１１４）。
【０１３４】
なお、同じ要求ホスト名Ｊ２に対応する複数の前記プリントジョブは、対応する要求ホスト名Ｊ２が共通する複数の前記グループジョブである。
【０１３５】
代表終了通知音響ＳＤ０２は、それら複数の前記グループジョブを代表する前記メッセージ音声である代表ジョブＩＤ音声ＳＤ１０を含む終了通知音響の一例である。
【０１３６】
前記グループジョブに対応する処理により、前記要求ユーザーが、短時間のうちにホスト装置８を通じて複数のジョブ要求Ｊ１を送信する場合でも、前記要求ユーザーが画像形成装置１０の前で待つ、または、無駄に複数回移動するなどの事態の発生がより確実に回避される。
【０１３７】
また、ユーザー識別部５ｄが、前記通知タイミングに前記要求ユーザーが画像形成装置１０の前に存在すると判定する場合に、音響制御部５ｅは、通常終了通知音響ＳＤ０１および代表終了通知音響ＳＤ０２を音響装置３ｃに出力させない（図２の工程Ｓ１０９，Ｓ１１０）。
【０１３８】
一方、ユーザー識別部５ｄが、前記通知タイミングに前記要求ユーザーが画像形成装置１０の前に存在しないと判定する場合には、音響制御部５ｅは、通常終了通知音響ＳＤ０１または代表終了通知音響ＳＤ０２を音響装置３ｃに出力させる（図２の工程Ｓ１１３，工程Ｓ１１４）。
【０１３９】
前記要求ユーザーが画像形成装置１０の前に存在する状況は、通信装置４がホスト装置８のいずれかからジョブ要求Ｊ１に伴う要求ホスト名Ｊ２を受信し、終了する前記プリントジョブとともに受信された要求ホスト名Ｊ２に対応する前記登録ユーザーが画像形成装置１０の前に存在する状況である。
【０１４０】
ユーザー識別部５ｄの判定結果に基づく音響制御部５ｅの処理により、前記要求ユーザーが早々に画像形成装置１０の前へ移動した場合には、無駄に音響が出力されることが回避される。
【０１４１】
また、音響制御部５ｅは、要求ホスト名Ｊ２に対応付けられた登録音楽データＤ５およびユーザー名Ｄ２に基づく登録音楽ＳＤ３およびユーザー名音声ＳＤ４を含む終了通知音響ＳＤ０１，ＳＤ０２を音響装置３ｃに出力させる（図２の工程Ｓ１１３，Ｓ１１４および図３参照）。
【０１４２】
登録音楽ＳＤ３およびユーザー名音声ＳＤ４の一方または両方が終了通知音響ＳＤ０１，ＳＤ０２に含まれることにより、前記要求ユーザーは、より直感的に終了通知音響ＳＤ０１，ＳＤ０２の通知内容を認識することができる。
【０１４３】
また、前記第１通知タイミングが採用される場合、前記要求ユーザーは、自身のジョブ要求Ｊ１に対応する前記プリントジョブが確実に終了したタイミングで画像形成装置１０の位置へ移動することができる。
【０１４４】
一方、前記第２通知タイミングが採用される場合、前記要求ユーザーは、画像形成装置１０の位置への移動に要する時間が見込まれた早期のタイミングで前記プリントジョブの終了予定を認識することができる。
【０１４５】
［第２実施形態］
次に、図４を参照しつつ、第２実施形態に係る画像形成装置１０Ａについて説明する。図４において、図１に示される構成要素と同じ構成要素は、同じ参照符号が付されている。
【０１４６】
以下、画像形成装置１０Ａにおける画像形成装置１０と異なる点について説明する。画像形成装置１０Ａは、図１に示される画像形成装置１０に１つ以上のシート検出センサー１ｙが追加された構成を有している。
【０１４７】
シート検出センサー１ｙは、排出トレイ１ｘごとに設けられている。シート検出センサー１ｙは、排出トレイ１ｘ上のシート９１を検出するセンサーである。
【０１４８】
本実施形態において、音響制御部５ｅは、前記通知タイミングにおいて、シート９１の排出先の排出トレイ１ｘにおけるシート検出センサー１ｙによりシート９１が検出されている場合には、通常終了通知音響ＳＤ０１または代表終了通知音響ＳＤ０２を音響装置３ｃに出力させる。
【０１４９】
一方、音響制御部５ｅは、前記通知タイミングにおいて、シート９１の排出先の排出トレイ１ｘにおけるシート検出センサー１ｙによりシート９１が検出されていない場合には、通常終了通知音響ＳＤ０１および代表終了通知音響ＳＤ０２を音響装置３ｃに出力させない。
【０１５０】
但し、本実施形態における、シート検出センサー１ｙの検出結果に基づく音響制御部５ｅの処理は、前記第１通知タイミングが採用される前記第１通知モードが選択されている場合にのみ実行される。
【０１５１】
本実施形態によれば、前記要求ユーザーが、早々に前記印刷物を排出トレイ１ｘから取得した場合には、無駄に音響が出力されることが回避される。
【０１５２】
なお、シート検出センサー１ｙの検出結果に基づく音響制御部５ｅの処理が、ユーザー識別部５ｄの判定結果に基づく音響制御部５ｅの処理の代わりに実行されることも考えられる。
【０１５３】
［応用例］
画像形成装置１０，１０Ａが、カメラ６およびユーザー識別部５ｄの代わりに、他の前記ユーザー判別装置を備えることも考えられる。前述したように前記ユーザー判別装置は、予め登録された複数のユーザー情報Ｄ０のいずれかに対応する前記登録ユーザーが装置の前に存在するか否かを判別する。
【０１５４】
例えば、前記ユーザー判別装置が、ＩＣカードリーダーと、カード情報照合部とを備えることが考えられる。前記ＩＣカードリーダーは、ユーザーが所持するＩＣカードからユーザーＩＤ（Ｄ１）を読み取る。
【０１５５】
ＣＰＵ５１は、二次記憶装置５３に記憶されたプログラムを実行することによって前記カード情報照合部として動作する。
【０１５６】
前記カード情報照合部は、二次記憶装置５３に記憶された複数のユーザー情報Ｄ０の中から、前記ＩＣカードから読み取られたユーザーＩＤ（Ｄ１）を含むユーザー情報Ｄ０を特定する。
【０１５７】
前記カード情報照合部は、前記通知タイミングが到来した前記プリントジョブに対応する要求ホスト名Ｊ２を含むユーザー情報Ｄ０が、前記ＩＣカードから読み取られたユーザーＩＤ（Ｄ１）を含む場合に、目的の前記登録ユーザーが装置の前に存在すると判別する。
【符号の説明】
【０１５８】
１        ：プリント装置
１ａ      ：シート搬送機構
１ｂ      ：感光体
１ｃ      ：帯電装置
１ｄ      ：レーザースキャニングユニット
１ｅ      ：現像装置
１ｆ      ：転写装置
１ｇ      ：定着装置
１ｘ      ：排出トレイ
１ｙ      ：シート検出センサー
２        ：画像読取装置
３        ：ユーザーインターフェイス装置
３ａ      ：操作装置
３ｂ      ：表示装置
３ｃ      ：音響装置
４        ：通信装置
５        ：制御装置
５ａ      ：主制御部
５ｂ      ：表示制御部
５ｃ      ：プリントデータ処理部
５ｄ      ：ユーザー識別部
５ｅ      ：音響制御部
５ｆ      ：識別情報設定部
５ｇ      ：ユーザー情報取得部
５ｈ      ：通知タイミング判定部
６        ：カメラ
８        ：ホスト装置
１０      ：画像形成装置
１０Ａ    ：画像形成装置
５０      ：プリントエンジン
５１      ：ＣＰＵ
５２      ：ＲＡＭ
５３      ：二次記憶装置
８０      ：ネットワーク
９１      ：シート
９２      ：原稿
Ｄ０      ：ユーザー情報
Ｄ２      ：ユーザー名
Ｄ３      ：登録顔情報
Ｄ４      ：登録ホスト名
Ｄ５      ：登録音楽データ
Ｊ１      ：ジョブ要求
Ｊ２      ：要求ホスト名
ＳＤ０１  ：通常終了通知音響
ＳＤ０２  ：代表終了通知音響
ＳＤ１    ：単体ジョブＩＤ音声
ＳＤ１０  ：代表ジョブＩＤ音声
ＳＤ１１  ：先頭ジョブＩＤ音声
ＳＤ１２  ：最終ジョブＩＤ音声
ＳＤ２    ：定型文音声
ＳＤ３    ：登録音楽
ＳＤ４    ：ユーザー名音声
【図１】
2020069715.tif 000003
【図２】
2020069715.tif 000004
【図３】
2020069715.tif 000005
【図４】
2020069715.tif 000006